(57)【要約】【課題】水漏れのおそれがなく、なおかつ水が樋内に滞留するおそれもない横引き排水ドレン装置を提供する。【解決手段】前端面部が開口した箱状の樋部材１０と、樋部材１０の開口部１０ａに取り付けされるドレン部材２０とよりなる横引き排水ドレン装置Ａであって、ドレン部材２０は、前壁部２５と底部２１と両側壁部２２、２２とを備えて、樋部材１０の開口部１０ａに対し外嵌される構造とされ、かつ、前壁部２５の下端には外方に突出した排水パイプ２６が一体形成されている。【選択図】図１
2011127381.tif 000002
【特許請求の範囲】
【請求項１】
前端面部が開口した箱状の樋部材と、該樋部材の開口部に取り付けされるドレン部材とよりなる横引き排水ドレン装置であって、
上記ドレン部材は、前壁部と底部と両側壁部とを備えて、上記樋部材の開口部に対し外嵌される構造とされ、かつ、上記前壁部の下端には外方に突出した排水パイプが一体形成されていることを特徴とする横引き排水ドレン装置。
【請求項２】
請求項１において、
上記ドレン部材の前壁部には、上記排水パイプの上方に、外方に突出したオーバーフローパイプが形成されている横引き排水ドレン装置。
【請求項３】
請求項１または２において、
上記ドレン部材の側壁部の内壁面には、上記樋部材の端部を係止する係止片が形成され、上記ドレン部材の前壁部と、上記係止片で固定された上記樋部材の前端との間に排水間隙が形成されている横引き排水ドレン装置。
【請求項４】
請求項１〜３のいずれか１項において、
上記ドレン部材の底部の後端に堰部が形成されている横引き排水ドレン装置。
【請求項５】
請求項１〜４のいずれか１項に記載された横引き排水ドレン装置に使用されるドレン部材。
【発明の詳細な説明】
【技術分野】
【０００１】
本発明は、箱状の樋部材の中に溜まった雨水等を排水パイプを介して排水する横引き排水ドレン装置およびこれに使用するドレン部材に関する。
【背景技術】
【０００２】
マンションの共通廊下やベランダ等（以下、「ベランダ等」と略す）に発生する水は、一般に箱状樋の底部の隅部に開設された排水口を通じて排水されるが、近年では、上方が開放された箱状の樋部材をベランダ等に設置し、この樋部材の前壁部の下端に排水用取付孔を開設し、その排水用取付孔に取り付けて、樋部材に溜まった雨水等を排水する横引き排水ドレン装置が知られている（例えば、特許文献１および２参照）。
【０００３】
このように、この横引き排水ドレン装置は樋部材の排水用取付孔に取り付けるだけで簡易に横引き排水ドレン構造を構成できるので、施工現場で迅速に取り付けることができ、利便性が高い。
【先行技術文献】
【特許文献】
【０００４】
【特許文献１】特開２００９−６８２１９号公報
【特許文献２】特開２００９−２４３１７８号公報
【発明の概要】
【発明が解決しようとする課題】
【０００５】
しかしながら、この種の横引き排水ドレン装置は、樋部材の前壁部の排水用取付孔の近傍において、樋部材に重ねて取り付ける構成としているため、樋部材内の雨水等が浸入しやすく水漏れを完全に防止することは困難であった。
【０００６】
すなわち、この種の横引き排水ドレン構造は、樋部材の前壁部と底部の内面に横引き排水ドレン装置を添接させる構造であり、重合したこれらの部材間の隙間へ雨水等が浸入することを防止することはほとんど不可能であり、このように部材間の隙間に入り込んだ水は、外部に排出されて水漏れになるおそれがあった。
【０００７】
樋部材の内部に水溜り部を設ければ水の漏れ出しは防止できるが、水が樋部材内に滞留するので、滞留水の腐敗や、滞留水による樋部材の腐食を引き起こすおそれがあった。
【０００８】
本発明は、このような事情を考慮して提案されたもので、その目的は、水漏れのおそれがなく、なおかつ水が樋内に滞留するおそれもない横引き排水ドレン装置およびこれに使用するドレン部材を提供することにある。
【課題を解決するための手段】
【０００９】
上記目的を達成するために、請求項１に記載の横引き排水ドレン装置は、前端面部が開口した箱状の樋部材と、樋部材の開口部に取り付けされるドレン部材とよりなる横引き排水ドレン装置であって、ドレン部材は、前壁部と底部と両側壁部とを備えて、樋部材の開口部に対し外嵌される構造とされ、かつ、前壁部の下端には外方に突出した排水パイプが一体形成されていることを特徴とする。
【００１０】
ここで、前端面部、前壁部の「前」は、樋部材内の雨水等が流れ出る方向、つまり下流側を指している。
【００１１】
請求項２に記載の横引き排水ドレン装置では、ドレン部材の前壁部には、排水パイプの上方に、外方に突出したオーバーフローパイプが形成されている。
【００１２】
請求項３に記載の横引き排水ドレン装置では、ドレン部材の側壁部の内壁面には、樋部材の端部を係止する係止片が形成され、ドレン部材の前壁部と、係止片で固定された樋部材の前端との間に排水間隙が形成されている。
【００１３】
請求項４に記載の横引きドレン装置では、ドレン部材の底部の後端に堰部が形成されている。
【００１４】
請求項５に記載のドレン部材は、請求項１〜４のいずれか１項に記載された横引き排水ドレン装置に使用されている。
【発明の効果】
【００１５】
請求項１に記載の横引き排水ドレン装置は、排水パイプが一体形成されたドレン部材を樋部材に外嵌して形成した構成であり、排水パイプの近傍において、前壁部、底部に樋部材を重合させない構造であるため、部材間の隙間に水が浸入することはあり得ず、そのため、水が外部に漏れ出すおそれもない。また、外部に漏れ出そうとする水を溜め込むことで水漏れを防止する構造とはなっていないため、滞留水の腐敗や、ドレン部材、樋部材の腐食のおそれもない。
【００１６】
さらに、ドレン部材を樋部材に対し外嵌するだけの簡易な構造であるため、現場での組み立てが迅速に行える。
【００１７】
請求項２に記載の横引きドレン装置によれば、ドレン部材の前壁部には、排水パイプの上方に、外方に突出したオーバーフローパイプが形成されているので、排水パイプが落ち葉、ごみ等で詰まった場合でも、オーバーフローパイプを通じて雨水等を排水することができる。そのため、樋部材やドレン部材からベランダ等側へ雨水等が溢れ出すことを防止できる。
【００１８】
請求項３に記載の横引きドレン装置によれば、ドレン部材の側壁部の内壁面には樋部材の端部を係止する係止片が形成され、その係止片で樋部材を係止することで、ドレン部材の前壁部と、係止片で係止して固定された樋部材の前端との間に排水間隙が形成されるようになっているので、この排水間隙によって水の流れをよくすることができ、確実な排水を行える。
【００１９】
請求項４に記載の横引きドレン装置によれば、ドレン部材の底部の後端に堰部が形成されているので、樋部材からの水の漏れ出しを確実に防止できる。
【００２０】
請求項５に記載のドレン部材によれば、上記樋部材と組み合わせることで、水漏れのおそれがなく、なおかつ水が樋内に滞留するおそれもない横引き排水ドレン装置を構成することができる。
【図面の簡単な説明】
【００２１】
【図１】本発明の横引き排水ドレン装置の一実施形態を示す分解斜視図である。
【図２】同横引き排水ドレン装置の外観斜視図である。
【図３】同横引き排水ドレン装置の要部拡大縦断面図である。
【図４】同横引き排水ドレン装置が配設されるベランダの概略平面図である。
【発明を実施するための形態】
【００２２】
以下に、本発明の実施の形態について、図面を参照しながら説明する。
【００２３】
図１は、本発明の横引き排水ドレン装置の一実施形態を示す分解斜視図、図２は同横引き排水ドレン装置の外観斜視図、図３は同横引き排水ドレン装置の要部拡大縦断面図である。図４は、同横引きドレン装置を配設するベランダの平面図である。
【００２４】
まず、この横引き排水ドレン装置Ａ（箱状樋）（図１および図２参照）の設置対象であるベランダの各部について、図４を参照しながら説明する。
【００２５】
ベランダ３０は、平面視で長方形の構造体が建物Ｔから外側に突出してなり、平面視で建物Ｔの壁面に平行なベランダ主壁３１と、建物Ｔの壁面に直交した２つのベランダ横壁３２、３２とでベランダ床３３を囲んだ形状となっている。なお、本図例においては、図の上部を下流側、つまり横引き排水ドレン装置Ａの（排水パイプ２６（図１参照）が配される）前側としている。
【００２６】
このベランダ床３３の屋外側の端部には、平面視でベランダ主壁３１に平行して隣接するように、一方のベランダ横壁３２から他方のベランダ横壁３２にいたるまでの直線状の排水溝３４が形成されている。箱状樋（横引き排水ドレン装置Ａ）はこの排水溝３４に配設される。なお、排水溝３４は上流側から下流側へ向けて水勾配を有していることが望ましい。
【００２７】
排水溝３４に配設される横引き排水ドレン装置Ａは、図１および図２に示すように、上方と前端面部が開口し箱状に形成された樋部材１０と、同様に上方が開口し、樋部材１０の前端面部の開口部１０ａに対する蓋様に形成されたドレン部材２０とより構成されている。また、この２部材よりなる横引き排水ドレン装置Ａは、雨水等を図１中の白抜き矢印方向に排水するための箱状樋を構成している。これら２部材はともに、塩ビ鋼板等の樹脂被覆鋼板または合成樹脂板で製されることが望ましい。
【００２８】
樋部材１０は、底板部１１と両側板部１２、１２とを備え、排水溝３４にそのまま嵌め入れられて配設される形状となっている。ここで、一方の側板部１２は、排水溝３４の屋外側の側壁と、その側壁から上方の手すり（不図示）側へ延びるベランダ主壁３１とにまたがるように添接させるために、他方の側板部１２より高く形成されている。また、他方の側板１２は排水溝３４の屋内側の側壁に添接され、その上端には、ベランダ床３３に添接される延設片１３が折曲形成されている。
【００２９】
一方のドレン部材２０は、前壁部２５と底部２１と両側壁部２２、２２とを備え、後端面部には開口部２０ａを有して、樋部材１０の開口部１０ａに対する蓋体部として形成されている。その前壁部２５の下端には外方に突出した排水パイプ２６が一体形成され、さらにその上方に、外方に突出したオーバーフローパイプ２７が一体形成されている。つまり、ドレン部材２０は、排水パイプ２６およびオーバーフローパイプ２７とを含んで、その全体が一体的に形成されている。なお、屋内側の側壁部２２の上端には、樋部材１０の延設片１３と同様の方向に折曲された延設片２３が形成されている。
【００３０】
また、ドレン部材２０の両側壁部２２、２２の内壁面には、樋部材１０の両側板部１２、１２の前端部を係止溝で圧接、係止させるための平面視Ｌ字状の係止片２４が数箇所に形成してあり、開口部１０ａ、２０ａ同士を対向させるように、ドレン部材２０を樋部材１０に対し外嵌できるようになっている。なお、ドレン部材２０は樋部材１０に対し外嵌する構造であるため、底部２１の幅寸法（側壁部２２、２２間寸法）は、樋部材１０の底板部１１の幅寸法（側板部１２、１２間寸法）よりもわずかに大きくなっている。
【００３１】
さらに、ドレン部材２０の底部２１の後端には、ドレン部材２０に対して内嵌する樋部材１０の底板部１１を載せ置く肉厚部が形成されている。この肉厚部が、ドレン部材２０内に入り込んだ雨水等が逆流して漏れ出すことを防止するための堰部２１ａを構成している。また、図１においてドレン部材２０の底部２１上に矢印を図示しているように、底部２１には、両側壁部２２、２２側から中央へと水勾配が形成され、さらに、その中央部では堰部２１ａ側から排水パイプ２６へと水勾配が形成されている。
【００３２】
なお、ドレン部材２０は、その底部２１、両側壁部２２、２２が、樋部材１０の底板部１１、両側板部１２、１２と同様に、排水溝３４の底、側壁等に添接されるように配設される。また、ドレン部材２０の前壁部２５は、下流側のベランダ横壁３２に添接され、排水パイプ２６、オーバーフローパイプ２７はベランダ横壁３２に開設された排水孔（不図示）を通じて竪樋等のパイプ（不図示）に連結される。
【００３３】
なお、樋部材１０とドレン部材２０とを連結し、排水溝３４の所定の位置に配設した後、樋部材１０のベランダ主壁３１側の側板部１２と延設片１３、および、ドレン部材２０の前壁部２５と延設片２３は塗装によって埋設される。
【００３４】
図２および図３に示すように、樋部材１０とドレン部材２０とが連結されて横引き排水ドレン装置Ａを構成した状態では、ドレン部材２０の前壁部２５と、ドレン部材２０の係止片２４で固定された樋部材１０の前端との間に間隙が形成されている。この間隙は樋部材１０に溜まった雨水等を排水パイプ２６へ流すための排水間隙Ｓであり、図３の矢印に示すように、樋部材１０の上流から流れてきた雨水等は、排水間隙Ｓからドレン部材２０の底部２１へ落ち込み、底部２１に形成された水勾配によって排水パイプ２６へと集水される。つまり、ドレン部材２０に形成した係止片２４は、樋部材１０とドレン部材２０とを連結する際に排水間隙Ｓを形成するための位置決め部としても作用する。
【００３５】
以上のように、この横引き排水ドレン装置Ａは、排水パイプ２６が一体形成されたドレン部材２０を樋部材１０に外嵌して形成した構成となっており、別体の排水パイプを取付け用孔に取り付ける構造とはなっていないため、取付け用孔による水漏れのおそれは当然にない。また、排水パイプ２６の近傍において、ドレン部材２０の前壁部２５、底部２１に樋部材１０を重合させない構造であるため、部材間の隙間に水が浸入することはあり得ず、そのため、雨水等が外部に漏れ出すおそれもない。さらに、外部に漏れ出そうとする雨水等を溜め込むことで水漏れを防止する構造とはなっていないため、滞留水の腐敗や、ドレン部材２０、樋部材１０の腐食のおそれもない。また、ドレン部材２０の底部２１には堰部２１ａが形成されているため、雨水等が底部２１を伝って外部に漏れ出すことも防止できる。
【００３６】
さらに、この横引き排水ドレン装置Ａはドレン部材２０を樋部材１０に対し外嵌するだけの簡易な構造であるため、現場での組み立てが迅速に行える。また、両部材の固定は、ドレン部材２０に設けた係止片２４によって確実に行うことができる。
【符号の説明】
【００３７】
Ａ      横引き排水ドレン装置
１０      樋部材
１０ａ      開口部
１１      底板部
１２      側板部
１３      延設片
２０      ドレン部材
２０ａ      開口部
２１      底部
２１ａ      堰部
２２      側壁部
２３      延設片
２４      係止片
２５      前壁部
２６      排水パイプ
２７      オーバーフローパイプ
Ｓ      排水間隙
３０      ベランダ
３１      ベランダ主壁
３２      ベランダ横壁
３３      ベランダ床
３４      排水溝
【図１】
2011127381.tif 000003
【図２】
2011127381.tif 000004
【図３】
2011127381.tif 000005
【図４】
2011127381.tif 000006
【手続補正書】
【提出日】平成22年5月18日(2010.5.18)
【手続補正１】
【補正対象書類名】明細書
【補正対象項目名】全文
【補正方法】変更
【補正の内容】
【発明の詳細な説明】
【技術分野】
【０００１】
本発明は、箱状の樋部材の中に溜まった雨水等を排水パイプを介して排水する横引き排水ドレン装置およびこれに使用するドレン部材に関する。
【背景技術】
【０００２】
マンションの共通廊下やベランダ等（以下、「ベランダ等」と略す）に発生する水は、一般に箱状樋の底部の隅部に開設された排水口を通じて排水されるが、近年では、上方が開放された箱状の樋部材をベランダ等に設置し、この樋部材の前壁部の下端に排水用取付孔を開設し、その排水用取付孔に取り付けて、樋部材に溜まった雨水等を排水する横引き排水ドレン装置が知られている（例えば、特許文献１および２参照）。
【０００３】
このように、この横引き排水ドレン装置は樋部材の排水用取付孔に取り付けるだけで簡易に横引き排水ドレン構造を構成できるので、施工現場で迅速に取り付けることができ、利便性が高い。
【先行技術文献】
【特許文献】
【０００４】
【特許文献１】特開２００９−６８２１９号公報
【特許文献２】特開２００９−２４３１７８号公報
【発明の概要】
【発明が解決しようとする課題】
【０００５】
しかしながら、この種の横引き排水ドレン装置は、樋部材の前壁部の排水用取付孔の近傍において、樋部材に重ねて取り付ける構成としているため、樋部材内の雨水等が浸入しやすく水漏れを完全に防止することは困難であった。
【０００６】
すなわち、この種の横引き排水ドレン構造は、樋部材の前壁部と底部の内面に横引き排水ドレン装置を添接させる構造であり、重合したこれらの部材間の隙間へ雨水等が浸入することを防止することはほとんど不可能であり、このように部材間の隙間に入り込んだ水は、外部に排出されて水漏れになるおそれがあった。
【０００７】
樋部材の内部に水溜り部を設ければ水の漏れ出しは防止できるが、水が樋部材内に滞留するので、滞留水の腐敗や、滞留水による樋部材の腐食を引き起こすおそれがあった。
【０００８】
本発明は、このような事情を考慮して提案されたもので、その目的は、水漏れのおそれがなく、なおかつ水が樋内に滞留するおそれもない横引き排水ドレン装置およびこれに使用するドレン部材を提供することにある。
【課題を解決するための手段】
【０００９】
上記目的を達成するために、請求項１に記載の横引き排水ドレン装置は、前端面部が開口した箱状の樋部材と、樋部材の開口部に取り付けされるドレン部材とよりなる横引き排水ドレン装置であって、ドレン部材は、前壁部と底部と両側壁部とを備えて、樋部材の開口部に対し外嵌される構造とされ、かつ、前壁部の下端には外方に突出した排水パイプが一体形成されていることを特徴とする。
【００１０】
ここで、前端面部、前壁部の「前」は、樋部材内の雨水等が流れ出る方向、つまり下流側を指している。
【００１１】
請求項２に記載の横引き排水ドレン装置では、ドレン部材の前壁部には、排水パイプの上方に、外方に突出したオーバーフローパイプが形成されている。
【００１２】
請求項３に記載の横引き排水ドレン装置では、ドレン部材の側壁部の内壁面には、樋部材の端部を係止する係止片が形成され、ドレン部材の前壁部と、係止片で固定された樋部材の前端との間に排水間隙が形成されている。
【００１３】
請求項４に記載の横引き排水ドレン装置では、ドレン部材の底部の後端に堰部が形成されている。
【００１４】
請求項５に記載のドレン部材は、請求項１〜４のいずれか１項に記載された横引き排水ドレン装置に使用されている。
【発明の効果】
【００１５】
請求項１に記載の横引き排水ドレン装置は、排水パイプが一体形成されたドレン部材を樋部材に外嵌して形成した構成であり、排水パイプの近傍において、前壁部、底部に樋部材を重合させない構造であるため、部材間の隙間に水が浸入することはあり得ず、そのため、水が外部に漏れ出すおそれもない。また、外部に漏れ出そうとする水を溜め込むことで水漏れを防止する構造とはなっていないため、滞留水の腐敗や、ドレン部材、樋部材の腐食のおそれもない。
【００１６】
さらに、ドレン部材を樋部材に対し外嵌するだけの簡易な構造であるため、現場での組み立てが迅速に行える。
【００１７】
請求項２に記載の横引き排水ドレン装置によれば、ドレン部材の前壁部には、排水パイプの上方に、外方に突出したオーバーフローパイプが形成されているので、排水パイプが落ち葉、ごみ等で詰まった場合でも、オーバーフローパイプを通じて雨水等を排水することができる。そのため、樋部材やドレン部材からベランダ等側へ雨水等が溢れ出すことを防止できる。
【００１８】
請求項３に記載の横引き排水ドレン装置によれば、ドレン部材の側壁部の内壁面には樋部材の端部を係止する係止片が形成され、その係止片で樋部材を係止することで、ドレン部材の前壁部と、係止片で係止して固定された樋部材の前端との間に排水間隙が形成されるようになっているので、この排水間隙によって水の流れをよくすることができ、確実な排水を行える。
【００１９】
請求項４に記載の横引き排水ドレン装置によれば、ドレン部材の底部の後端に堰部が形成されているので、樋部材からの水の漏れ出しを確実に防止できる。
【００２０】
請求項５に記載のドレン部材によれば、上記樋部材と組み合わせることで、水漏れのおそれがなく、なおかつ水が樋内に滞留するおそれもない横引き排水ドレン装置を構成することができる。
【図面の簡単な説明】
【００２１】
【図１】本発明の横引き排水ドレン装置の一実施形態を示す分解斜視図である。
【図２】同横引き排水ドレン装置の外観斜視図である。
【図３】同横引き排水ドレン装置の要部拡大縦断面図である。
【図４】同横引き排水ドレン装置が配設されるベランダの概略平面図である。
【発明を実施するための形態】
【００２２】
以下に、本発明の実施の形態について、図面を参照しながら説明する。
【００２３】
図１は、本発明の横引き排水ドレン装置の一実施形態を示す分解斜視図、図２は同横引き排水ドレン装置の外観斜視図、図３は同横引き排水ドレン装置の要部拡大縦断面図である。図４は、同横引き排水ドレン装置を配設するベランダの平面図である。
【００２４】
まず、この横引き排水ドレン装置Ａ（箱状樋）（図１および図２参照）の設置対象であるベランダの各部について、図４を参照しながら説明する。
【００２５】
ベランダ３０は、平面視で長方形の構造体が建物Ｔから外側に突出してなり、平面視で建物Ｔの壁面に平行なベランダ主壁３１と、建物Ｔの壁面に直交した２つのベランダ横壁３２、３２とでベランダ床３３を囲んだ形状となっている。なお、本図例においては、図の上部を下流側、つまり横引き排水ドレン装置Ａの（排水パイプ２６（図１参照）が配される）前側としている。
【００２６】
このベランダ床３３の屋外側の端部には、平面視でベランダ主壁３１に平行して隣接するように、一方のベランダ横壁３２から他方のベランダ横壁３２にいたるまでの直線状の排水溝３４が形成されている。箱状樋（横引き排水ドレン装置Ａ）はこの排水溝３４に配設される。なお、排水溝３４は上流側から下流側へ向けて水勾配を有していることが望ましい。
【００２７】
排水溝３４に配設される横引き排水ドレン装置Ａは、図１および図２に示すように、上方と前端面部が開口し箱状に形成された樋部材１０と、同様に上方が開口し、樋部材１０の前端面部の開口部１０ａに対する蓋様に形成されたドレン部材２０とより構成されている。また、この２部材よりなる横引き排水ドレン装置Ａは、雨水等を図１中の白抜き矢印方向に排水するための箱状樋を構成している。これら２部材はともに、塩ビ鋼板等の樹脂被覆鋼板または合成樹脂板で製されることが望ましい。
【００２８】
樋部材１０は、底板部１１と両側板部１２、１２とを備え、排水溝３４にそのまま嵌め入れられて配設される形状となっている。ここで、一方の側板部１２は、排水溝３４の屋外側の側壁と、その側壁から上方の手すり（不図示）側へ延びるベランダ主壁３１とにまたがるように添接させるために、他方の側板部１２より高く形成されている。また、他方の側板１２は排水溝３４の屋内側の側壁に添接され、その上端には、ベランダ床３３に添接される延設片１３が折曲形成されている。
【００２９】
一方のドレン部材２０は、前壁部２５と底部２１と両側壁部２２、２２とを備え、後端面部には開口部２０ａを有して、樋部材１０の開口部１０ａに対する蓋体部として形成されている。その前壁部２５の下端には外方に突出した排水パイプ２６が一体形成され、さらにその上方に、外方に突出したオーバーフローパイプ２７が一体形成されている。つまり、ドレン部材２０は、排水パイプ２６およびオーバーフローパイプ２７とを含んで、その全体が一体的に形成されている。なお、屋内側の側壁部２２の上端には、樋部材１０の延設片１３と同様の方向に折曲された延設片２３が形成されている。
【００３０】
また、ドレン部材２０の両側壁部２２、２２の内壁面には、樋部材１０の両側板部１２、１２の前端部を係止溝で圧接、係止させるための平面視Ｌ字状の係止片２４が数箇所に形成してあり、開口部１０ａ、２０ａ同士を対向させるように、ドレン部材２０を樋部材１０に対し外嵌できるようになっている。なお、ドレン部材２０は樋部材１０に対し外嵌する構造であるため、底部２１の幅寸法（側壁部２２、２２間寸法）は、樋部材１０の底板部１１の幅寸法（側板部１２、１２間寸法）よりもわずかに大きくなっている。
【００３１】
さらに、ドレン部材２０の底部２１の後端には、ドレン部材２０に対して内嵌する樋部材１０の底板部１１を載せ置く肉厚部が形成されている。この肉厚部が、ドレン部材２０内に入り込んだ雨水等が逆流して漏れ出すことを防止するための堰部２１ａを構成している。また、図１においてドレン部材２０の底部２１上に矢印を図示しているように、底部２１には、両側壁部２２、２２側から中央へと水勾配が形成され、さらに、その中央部では堰部２１ａ側から排水パイプ２６へと水勾配が形成されている。
【００３２】
なお、ドレン部材２０は、その底部２１、両側壁部２２、２２が、樋部材１０の底板部１１、両側板部１２、１２と同様に、排水溝３４の底、側壁等に添接されるように配設される。また、ドレン部材２０の前壁部２５は、下流側のベランダ横壁３２に添接され、排水パイプ２６、オーバーフローパイプ２７はベランダ横壁３２に開設された排水孔（不図示）を通じて竪樋等のパイプ（不図示）に連結される。
【００３３】
なお、樋部材１０とドレン部材２０とを連結し、排水溝３４の所定の位置に配設した後、樋部材１０のベランダ主壁３１側の側板部１２と延設片１３、および、ドレン部材２０の前壁部２５と延設片２３は塗装によって埋設される。
【００３４】
図２および図３に示すように、樋部材１０とドレン部材２０とが連結されて横引き排水ドレン装置Ａを構成した状態では、ドレン部材２０の前壁部２５と、ドレン部材２０の係止片２４で固定された樋部材１０の前端との間に間隙が形成されている。この間隙は樋部材１０に溜まった雨水等を排水パイプ２６へ流すための排水間隙Ｓであり、図３の矢印に示すように、樋部材１０の上流から流れてきた雨水等は、排水間隙Ｓからドレン部材２０の底部２１へ落ち込み、底部２１に形成された水勾配によって排水パイプ２６へと集水される。つまり、ドレン部材２０に形成した係止片２４は、樋部材１０とドレン部材２０とを連結する際に排水間隙Ｓを形成するための位置決め部としても作用する。
【００３５】
以上のように、この横引き排水ドレン装置Ａは、排水パイプ２６が一体形成されたドレン部材２０を樋部材１０に外嵌して形成した構成となっており、別体の排水パイプを取付け用孔に取り付ける構造とはなっていないため、取付け用孔による水漏れのおそれは当然にない。また、排水パイプ２６の近傍において、ドレン部材２０の前壁部２５、底部２１に樋部材１０を重合させない構造であるため、部材間の隙間に水が浸入することはあり得ず、そのため、雨水等が外部に漏れ出すおそれもない。さらに、外部に漏れ出そうとする雨水等を溜め込むことで水漏れを防止する構造とはなっていないため、滞留水の腐敗や、ドレン部材２０、樋部材１０の腐食のおそれもない。また、ドレン部材２０の底部２１には堰部２１ａが形成されているため、雨水等が底部２１を伝って外部に漏れ出すことも防止できる。
【００３６】
さらに、この横引き排水ドレン装置Ａはドレン部材２０を樋部材１０に対し外嵌するだけの簡易な構造であるため、現場での組み立てが迅速に行える。また、両部材の固定は、ドレン部材２０に設けた係止片２４によって確実に行うことができる。
【符号の説明】
【００３７】
Ａ      横引き排水ドレン装置
１０      樋部材
１０ａ      開口部
１１      底板部
１２      側板部
１３      延設片
２０      ドレン部材
２０ａ      開口部
２１      底部
２１ａ      堰部
２２      側壁部
２３      延設片
２４      係止片
２５      前壁部
２６      排水パイプ
２７      オーバーフローパイプ
Ｓ      排水間隙
３０      ベランダ
３１      ベランダ主壁
３２      ベランダ横壁
３３      ベランダ床
３４      排水溝